(57)【要約】【課題】本体部がキャビネットに埋め込まれて設置されても報知装置から発せられた報知音がキャビネット内にこもらないようにすること。【解決手段】報知装置１７から発せられた報知音が連通路１５からキャビネットａの外に配置した貫通孔１８に抜けるのでキャビネットａ内にこもらず、鮮明に聞くことができる。【選択図】図１
2008286495.tif 000002
【特許請求の範囲】
【請求項１】
被加熱物を載置する天板と、前記天板の裏側に備えられた加熱体と、前記加熱体による調理工程等を音により報知する報知装置と、前記加熱体および前記報知装置を収容する本体部と、前記天板の外周を覆い前記本体部よりも外側に張り出した鍔部とを備え、前記鍔部に前記報知装置と連通する中空な連通路を形成するとともに、前記鍔部の先端側に貫通孔を設けた加熱調理器。
【請求項２】
前記貫通孔を前記鍔部の裏側に設けるとともに、キャビネット設置時に前記貫通孔を前記キャビネットから浮かす凸部を前記鍔部の裏側に設けた請求項１に記載の加熱調理器。
【請求項３】
前記凸部を前記貫通孔より内側の鍔部に連続して設け、前記凸部にシール部材を取り付けた請求項２に記載の加熱調理器。
【請求項４】
前記報知装置の全体または一部を前記鍔部に配置した請求項１〜３のいずれか１項に記載の加熱調理器。
【請求項５】
前記報知装置を遮蔽部材により前記本体部の内側と遮蔽した請求項４に記載の加熱調理器。
【発明の詳細な説明】
【技術分野】
【０００１】
本発明は、報知装置を有する加熱調理器に関するものである。
【背景技術】
【０００２】
従来、この種の加熱調理器は、本体内に収容した報知装置の音を本体の底に設けた貫通孔を通して本体下部から放散するものがあった（例えば、特許文献１参照）。
【０００３】
その構成を図９および図１０に示すと、上方が結晶化ガラスで形成された天板１で覆われ、天板１の上には鍋等の被加熱物が載置される。天板１の裏側には被加熱物を加熱する加熱体２が配置され、加熱体２は本体部３に収容されている。本体部３内には、加熱体２の加熱による調理工程等を音により報知する報知装置４が収められ、本体部３の底には報知装置４の報知音を外側に抜くための貫通孔５が設けられている。
【特許文献１】特開２００６−３３１７７０号公報
【発明の開示】
【発明が解決しようとする課題】
【０００４】
しかしながら、前記従来の構成では、前面が開放されていないキャビネットａに本体部３が埋め込まれて設置された場合に貫通孔５がキャビネットａ内に入ってしまい、貫通孔５から抜けた報知装置４の報知音がキャビネットａ内にこもり聞こえにくいという課題を有していた。
【０００５】
本発明は、前記従来の課題を解決するもので、本体部がキャビネットに埋め込まれて設置されても報知装置から発せられた報知音がキャビネット内にこもらず、聞こえやすい加熱調理器を提供することを目的とする。
【課題を解決するための手段】
【０００６】
前記従来の課題を解決するために、本発明の加熱調理器は、被加熱物を載置する天板と、前記天板の裏側に備えられた加熱体と、前記加熱体による調理工程等を音により報知する報知装置と、前記加熱体および前記報知装置を収容する本体部と、前記天板の外周を覆い前記本体部よりも外側に張り出した鍔部とを備え、前記鍔部に前記報知装置と連通する中空な連通路を形成するとともに、前記鍔部の先端側に貫通孔を設けたものである。
【０００７】
これによって、報知装置から発せられた報知音を連通路からキャビネットの外に配置した貫通孔に抜けさせ、キャビネット内にこもらないようにすることができる。
【発明の効果】
【０００８】
本発明の誘導加熱調理器は、報知装置から発せられた報知音を連通路からキャビネットの外に配置した貫通孔に抜けさせることで、キャビネット内にこもらないようにすることができる。
【発明を実施するための最良の形態】
【０００９】
第１の発明は、天板の外周を覆う鍔部に報知装置と連通する中空な連通路を形成するとともに、鍔部の先端側に貫通孔を設けたことにより、報知装置から発せられた報知音が連通路からキャビネットの外に配置した貫通孔に抜け、キャビネット内にこもらないようにすることができる。
【００１０】
第２の発明は、特に、第１の発明において、貫通孔を鍔部の裏側に設けたことにより、誤って外枠に水などの液体をこぼしても貫通孔から中に水が入っていかない。また、キャビネットへの設置時に貫通孔をキャビネットから浮かす凸部を鍔部の裏側に設けたことにより、報知装置から報知音が発せられた場合には貫通孔から外側に抜け操作者に聞こえるようにすることができる。
【００１１】
第３の発明は、特に、第２の発明において、凸部を貫通孔より内側の鍔部に連続して設け、凸部にシール部材を取り付けたことにより、本体をキャビネットに設置するとシール材に本体の荷重がかかって圧縮されキャビネットとの間を確実にシールすることができる。
【００１２】
第４の発明は、特に、第１〜３のいずれか１つの発明において、報知装置の全体または一部を鍔部に配置したことにより、報知音が直接貫通孔に向かって発せられるので報知音がさらに明瞭になる。
【００１３】
第５の発明は、特に、第４の発明において、報知装置と本体部の内側との間を遮蔽部材により遮蔽したことにより、報知音が本体部側に放散されるのを防いでより大きな音を貫通孔から出し、聞き取りやすくすることができる。
【００１４】
以下、本発明の実施の形態について、図面を参照しながら説明する。なお、この実施の形態によって本発明が限定されるものではない。
【００１５】
（実施の形態１）
図１および図２は、本発明の第１の実施の形態における加熱調理器を示している。
【００１６】
本実施の形態における加熱調理器は、上方が結晶化ガラス等で形成された天板１１で覆われ、天板１１の上には鍋等の被加熱物が載置される。天板１１の外周は外枠１２で覆われ、本体部１３のフランジ１３ａとともに鍔部１４を構成し、中空な連通路１５を形成している。鍔部１４は本体部１３よりも外側に張り出し、設置した時にキャビネットａに載置される。天板１１の裏側には加熱体１６が配置され、加熱体１６による調理工程は報知装置１７による報知音で操作者に報知される。鍔部１４の先端側には報知装置１７の報知音を連通路１５から外側に抜くための貫通孔１８が設けられている。
【００１７】
以上のように構成された加熱調理器について、以下その動作、作用を説明する。
【００１８】
まず、電源を入れ加熱体１６に通電すると被加熱物が加熱され、調理が進行すると報知装置１７から報知音が発せられる。発せられた報知音は連通路１５、貫通孔１８を通って外側に抜け、操作者に届く。報知装置１７から発せられた報知音がキャビネットａを通してではなく、直接操作者に届くので鮮明に聞くことができる。
【００１９】
以上のように、本実施の形態においては、天板の外周を覆う鍔部に報知装置と連通する中空な連通路を形成するとともに、鍔部の先端側に貫通孔を設けたことにより、報知装置から発せられた報知音が連通路からキャビネットの外に配置した貫通孔に抜け、キャビネット内にこもらず鮮明に聞くことができる。
【００２０】
（実施の形態２）
図３および図４は、本発明の第２の実施の形態における加熱調理器を示している。実施の形態１と同一要素については同一符号を付してその説明を省略する。
【００２１】
本実施の形態における加熱調理器は、貫通孔１８が鍔部１４の裏側に設けられ、貫通孔１８より内側のフランジ１３ａには凸部１９が下側に向けて設けられ、本体部１３をキャビネットａに設置した場合には凸部１９がキャビネットａに当って鍔部１４が浮き、貫通孔１８がキャビネットａで塞がれないようになっている。
【００２２】
以上のように構成された加熱調理器について、以下その動作、作用を説明する。
【００２３】
まず、貫通孔１８を鍔部１４の裏側に設けているので誤って外枠１２に水などの液体をこぼしても入っていかない。また、鍔部１４がキャビネットａから浮いているので、報知装置１７から報知音が発せられた場合には貫通孔１８から外側に抜け操作者に聞こえるようにすることができる。
【００２４】
以上のように、本実施の形態においては、貫通孔を鍔部の裏側に設けたことにより、誤って外枠に水などの液体をこぼしても貫通孔から中に水が入っていかない。また、キャビネットへの設置時に貫通孔をキャビネットから浮かす凸部を鍔部の裏側に設けたことにより、報知装置から報知音が発せられた場合には貫通孔から外側に抜け操作者に聞こえるようにすることができる。
【００２５】
（実施の形態３）
図５および図６は、本発明の実施の形態３における加熱調理器を示している。実施の形態２と同一要素については同一符号を付してその説明を省略する。
【００２６】
本実施の形態における加熱調理器は、凸部１９を鍔部１４の裏側に連続して設け、凸部１９がキャビネットａと対面する側にシール材２０を貼り付けてある。本体部１３をキャビネットａに設置すると、凸部１９が出っ張っているためシール材２０がまずキャビネットａと接触し、天板１１および本体部１３の荷重がかかることでシール材２０が圧縮されてキャビネットａとの間を確実にシールすることができる。
【００２７】
以上のように、本実施の形態においては、凸部を貫通孔より内側の鍔部に連続して設け、凸部にシール部材を取り付けたことにより、本体をキャビネットに設置するとシール材に本体の荷重がかかって圧縮されキャビネットとの間を確実にシールすることができる。
【００２８】
（実施の形態４）
図７は、本発明の実施の形態４における加熱調理器を示している。実施の形態３と同一要素については同一符号を付してその説明を省略する。
【００２９】
本実施の形態における加熱調理器は、報知装置１７の報知音が出てくる部分１８ａを中鍔部１４に配置してあり、報知音が直接貫通孔１８に向かって発せられるので報知音がさらに明瞭になる。鍔部１４に配置するのは報知装置１７全体でもよく、同じ効果を得ることができる。
【００３０】
以上のように、本実施の形態においては、報知装置の全体または一部を鍔部に配置したことにより、報知音が直接貫通孔に向かって発せられるので報知音がさらに明瞭になる。
【００３１】
（実施の形態５）
図８は、本発明の実施の形態５における加熱調理器を示している。実施の形態４と同一要素については同一符号を付してその説明を省略する。
【００３２】
本実施の形態における加熱調理器は、報知装置１７と本体部１３の内側との間を遮蔽部材２１により遮蔽してあり、報知装置１７から報知音が発せられた場合に報知音が本体部１３側に放散されずに貫通孔１８に向かうので、より大きな音が貫通孔１８から出て聞き取りやすくなる。
【００３３】
以上のように、本実施の形態においては、報知装置と本体部の内側との間を遮蔽部材により遮蔽したことにより、報知音が本体部側に放散されずに貫通孔に向かうので、より大きな音が貫通孔から出て聞き取りやすくなる。
【産業上の利用可能性】
【００３４】
以上のように、本発明にかかる加熱調理器の構成は報知音をキャビネット内にこもらないようにすることができるので、加熱調理器に限らず本体を別枠に設置する製品に適用できる。
【図面の簡単な説明】
【００３５】
【図１】本発明の実施の形態１における加熱調理器の断面図
【図２】同加熱調理器の要部の断面図
【図３】本発明の実施の形態２における加熱調理器の要部の断面図
【図４】同加熱調理器の要部の断面図
【図５】本発明の実施の形態３における加熱調理器の裏面図
【図６】同加熱調理器の要部の断面図
【図７】本発明の実施の形態４における加熱調理器の要部の断面図
【図８】本発明の実施の形態５における加熱調理器の要部の断面図
【図９】従来例における加熱調理器の断面図
【図１０】同加熱調理器の要部の断面図
【符号の説明】
【００３６】
１１  天板
１２  外枠
１３  本体部
１４  鍔部
１５  連通路
１６  加熱体
１７  報知装置
１８  貫通孔
１９  凸部
２０  シール材
２１  遮蔽部材
【図１】
2008286495.tif 000003
【図２】
2008286495.tif 000004
【図３】
2008286495.tif 000005
【図４】
2008286495.tif 000006
【図５】
2008286495.tif 000007
【図６】
2008286495.tif 000008
【図７】
2008286495.tif 000009
【図８】
2008286495.tif 000010
【図９】
2008286495.tif 000011
【図１０】
2008286495.tif 000012